【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
ハウジングと、
前記ハウジング内に配置され、振動する時に１２Ｈｚないし６０Ｈｚの周波数の範囲の衝撃波を発生するリードと、
患者の肺の中に前記衝撃波の逆圧を生成するために、前記ハウジングを出る空気に抵抗をもらたす音響抵抗と、
を含むことを特徴とする、肺の分泌物を薄めるための装置。
【請求項２】
前記音響抵抗は、前記ハウジング内に配置されたフィルタを含むことを特徴とする請求項１に記載の装置。
【請求項３】
前記音響抵抗は、前記ハウジング内に配置された発泡体プラグを含むことを特徴とする請求項１に記載の装置。
【請求項４】
前記音響抵抗は、前記ハウジングからの空気の流れを制限する前記ハウジングのテーパ付きの端部を含むことを特徴とする請求項１に記載の装置。
【請求項５】
前記音響抵抗は、前記ハウジングからの空気の流れを制限する前記ハウジングの端部に配置された端部キャップを含むことを特徴とする請求項１に記載の装置。
【請求項６】
前記音響抵抗は、前記ハウジングに閉じ込められた空気塊を含み、
前記ハウジングは、前記空気塊を生成するのに十分な容積の空気を含む、
ことを特徴とする請求項１に記載の装置。
【請求項７】
前記音響抵抗は、前記ハウジング内の空気の流れに対する抵抗をもたらす大きさの前記リードを含むことを特徴とする請求項１に記載の装置。
【請求項８】
患者の肺の中に前記低周波衝撃波の逆圧を生成するための複数の音響抵抗を含むことを特徴とする請求項１に記載の装置。
【請求項９】
前記複数の音響抵抗は、特定の大きさの前記リードと前記ハウジングに閉じ込められた空気塊とを含むことを特徴とする請求項８に記載の装置。
【請求項１０】
前記衝撃波は、約１２Ｈｚから約２４Ｈｚの範囲の周波数を含むことを特徴とする請求項１に記載の装置。
【請求項１１】
前記衝撃波は、約１６Ｈｚから約２０Ｈｚの範囲の周波数を含むことを特徴とする請求項１０に記載の装置。
【請求項１２】
前記衝撃波は、約１８Ｈｚの周波数を含むことを特徴とする請求項１１に記載の装置。
【請求項１３】
前記ハウジングに結合されたマウスピースを更に含むことを特徴とする請求項１に記載の装置。
【請求項１４】
前記リードは、前記ハウジングに結合された前記マウスピースに結合されることで該ハウジングに結合されることを特徴とする請求項１３に記載の装置。
【請求項１５】
前記ハウジングの端部は、前記マウスピースを前記ハウジングに結合するために該マウスピース内に配置され、
前記リードは、該リードの端部を前記ハウジング及び前記マウスピース間で圧縮することによって該ハウジングに結合される、
ことを特徴とする請求項１３に記載の装置。
【請求項１６】
前記ハウジング及び前記マウスピースの一方は、前記リードを該ハウジング内に位置決めする位置決めチャンネルを含むことを特徴とする請求項１５に記載の装置。
【請求項１７】
前記ハウジングは、第１の断面積を有する第１の部分と第２の断面積を有する第２の部分とを含み、
前記第２の断面積は、前記第１の断面積よりも大きい、
ことを特徴とする請求項１に記載の装置。
【請求項１８】
前記リードは、自由端を含み、
前記自由端は、前記ハウジングの前記第２の部分内で振動する、
ことを特徴とする請求項１７に記載の装置。
【請求項１９】
前記ハウジングは、その内面に溝を含むことを特徴とする請求項１に記載の装置。
【請求項２０】
前記ハウジングは、上部内面及び下部内面を含み、
前記溝は、前記上部及び下部内面の一方に配置される、
ことを特徴とする請求項１９に記載の装置。
【請求項２１】
前記ハウジングは、前記上部及び下部内面の少なくとも一方に配置された複数の溝を含むことを特徴とする請求項２０に記載の装置。
【請求項２２】
前記リードは、自由端を含み、
前記自由端は、前記リードの別の部分の断面区域よりも小さい断面区域を含む、
ことを特徴とする請求項１に記載の装置。
【請求項２３】
前記リードは、自由端を含み、
前記リードの前記自由端に配置された重り、
を更に含むことを特徴とする請求項１に記載の装置。
【請求項２４】
前記重りは、前記リードの一部分の断面積よりも小さい断面積を有する自由端を含むことを特徴とする請求項２３に記載の装置。
【請求項２５】
前記重り及び前記リードの一部分は、該重り及び該リードの別の部分の断面区域よりも小さい断面区域を含むことを特徴とする請求項２３に記載の装置。
【請求項２６】
前記重りは、第１の材料を含み、
前記リードは、第２の材料を含み、
前記第１の材料のコンプライアンスは、前記第２の材料のコンプライアンスの約１／８から約１／２の範囲である、
ことを特徴とする請求項２３に記載の装置。
【請求項２７】
前記重りは、前記リードの二重部分を含むことを特徴とする請求項２３に記載の装置。
【請求項２８】
前記重りは、前記リードの前記自由端に結合されたテープを含むことを特徴とする請求項２３に記載の装置。
【請求項２９】
前記ハウジングに結合されて該ハウジング内に少なくとも部分的真空を生成する動力補給装置を更に含むことを特徴とする請求項１に記載の装置。
【請求項３０】
前記ハウジングは、出口開口部を含み、
前記動力補給装置は、前記ハウジングの前記出口開口部を通過する空気の流れを含む、  ことを特徴とする請求項２９に記載の装置。
【請求項３１】
装置を人工呼吸器に結合するための、前記ハウジングの第１及び第２の端部に結合された人工呼吸器管を更に含むことを特徴とする請求項１に記載の装置。
【請求項３２】
前記ハウジングの反対端に結合された一対の端部キャップを更に含み、
前記人工呼吸器管は、前記端部キャップに結合される、
ことを特徴とする請求項３１に記載の装置。
【請求項３３】
ハウジングと、
前記ハウジングに結合された固定端と該ハウジング内の自由端とを含み、該自由端に配置された重りを更に含み、振動する時に１２Ｈｚないし６０Ｈｚの周波数の範囲の衝撃波を発生するリードと、
患者の肺の中に前記衝撃波の逆圧を生成するために、前記ハウジングを出る空気に抵抗をもらたす少なくとも１つの音響抵抗と、
を含むことを特徴とする、肺の分泌物を薄めるための装置。
【請求項３４】
前記音響抵抗は、前記ハウジング内に配置されたフィルタを含むことを特徴とする請求項３３に記載の装置。
【請求項３５】
前記音響抵抗は、前記ハウジング内に配置された発泡体プラグを含むことを特徴とする請求項３３に記載の装置。
【請求項３６】
前記音響抵抗は、前記ハウジングのテーパ付き端部を含むことを特徴とする請求項３３に記載の装置。
【請求項３７】
前記音響抵抗は、前記ハウジングからの空気の流れを制限するための前記ハウジングの端部に配置された端部キャップを含むことを特徴とする請求項３３に記載の装置。
【請求項３８】
前記音響抵抗は、前記ハウジングに閉じ込められた空気塊を含み、
前記ハウジングは、前記空気塊を生成するのに十分な容積の空気を含む、
ことを特徴とする請求項３３に記載の装置。
【請求項３９】
前記音響抵抗は、前記逆圧を生成するのに十分な大きさの前記リードを含むことを特徴とする請求項３３に記載の装置。
【請求項４０】
前記衝撃波は、約１６Ｈｚから約２０Ｈｚの範囲の周波数を含むことを特徴とする請求項３３に記載の装置。
【請求項４１】
前記ハウジングに結合されたマウスピースを更に含み、
前記リードは、前記固定端を前記ハウジング及び前記マウスピース間で圧縮することにより該ハウジングに結合される、
ことを特徴とする請求項３３に記載の装置。
【請求項４２】
前記ハウジングに結合されたマウスピースを更に含み、
前記リードは、前記ハウジングに結合した前記マウスピースに結合することで該ハウジングに結合される、
ことを特徴とする請求項３３に記載の装置。
【請求項４３】
前記リードの前記固定端は、前記ハウジングに該ハウジングの第１の部分で結合され、  前記リードの前記自由端は、前記ハウジングの第２の部分内で振動し、
前記第２の部分は、前記第１の部分よりも大きな断面区域を含む、
ことを特徴とする請求項３３に記載の装置。
【請求項４４】
前記ハウジングは、該ハウジングの内面に配置された少なくとも１つの溝を含むことを特徴とする請求項３３に記載の装置。
【請求項４５】
前記重りは、自由端を含み、
前記重りの前記自由端は、前記リードの厚さよりも薄い、
ことを特徴とする請求項３３に記載の装置。
【請求項４６】
前記重りは、第１の材料を含み、
前記リードは、第２の材料を含み、
前記第１の材料のコンプライアンスは、前記第２の材料のコンプライアンスの約１／８から約１／２の範囲である、
ことを特徴とする請求項４５に記載の装置。
【請求項４７】
前記ハウジングに結合されて該ハウジング内に少なくとも部分的真空を生成する動力補給装置を更に含むことを特徴とする装置請求項３３に記載の装置。
【請求項４８】
ハウジングと、
前記ハウジング内に配置され、空気によって振動する時に１２Ｈｚないし６０Ｈｚの周波数の範囲の衝撃波を発生するリードと、
患者の体腔の中に前記衝撃波の逆圧を生成するために、前記ハウジングを出る空気に抵抗をもらたす音響抵抗と、
を含むことを特徴とする、ヒトの分泌物の粘性を低下させるための装置。
【請求項４９】
前記衝撃波は、約１６Ｈｚから約２０Ｈｚの範囲の周波数を含むことを特徴とする請求項４８に記載の装置。
【請求項５０】
前記衝撃波は、約１５Ｈｚから約６０Ｈｚの範囲の周波数を含むことを特徴とする請求項４８に記載の装置。
【請求項５１】
前記衝撃波は、約４４Ｈｚの周波数を含むことを特徴とする請求項５０に記載の装置。
【請求項５２】
前記体腔は、副鼻腔を含むことを特徴とする請求項４８に記載の装置。